(57)【要約】  本発明は、植物灌漑システム（１）に関し、植物灌漑システム（１）は、大気中に存在する水分を収集するための収集構造体（９９）を含み、収集構造体には、水回収表面（２４）が設けられており、水回収表面は、使用中に、重力方向に対して少なくとも部分的に角度を成している。植物灌漑システムは、回収された水分を貯蔵するための貯蔵部（９８）をさらに含み、貯蔵部には、貯蔵部の中に存在する水分を、その下方に位置する下層土へ伝達するための灌漑手段（１９、２１）が設けられている。収集構造体および貯蔵部が、紙材料および／または生物分解性プラスチックから製造されている。
2014506124.tif 000002
【特許請求の範囲】
【請求項１】
大気中に存在する水分を収集するための収集構造体を含む植物灌漑システムであって、前記収集構造体には、水回収表面が設けられており、前記水回収表面は、使用中に、重力方向に対して少なくとも部分的に角度を成しており、植物灌漑システムは、回収された水分を貯蔵するための貯蔵部をさらに含み、前記貯蔵部には、前記貯蔵部の中に存在する水分を、その下方に位置する下層土へ伝達するための灌漑手段が設けられており、前記収集構造体および前記貯蔵部が、紙材料および／または生物分解性プラスチックから製造されている、植物灌漑システム。
【請求項２】
前記紙材料が、ボール紙、セルロース、ペーパーフォーム、および／または繊維紙を含む、請求項１に記載の植物灌漑システム。
【請求項３】
前記繊維紙が、ココナツ繊維、綿繊維、バナナ繊維、ジュート繊維、羊毛繊維、わら繊維、牧草繊維、麻繊維、ケナフ繊維、麦わら紙、ヒマワリの茎の繊維、ボロ切れ繊維、クワの紙、および／またはコウゾを含む、請求項１または２に記載の植物灌漑システム。
【請求項４】
前記紙材料が、不透水性の材料を含み、かつ/または、液体不浸透性のコーティングを設けられている、請求項１から３までのいずれか一項に記載の植物灌漑システム。
【請求項５】
前記生物分解性プラスチックが、生物分解性添加剤を含む再生可能な原材料、または、生物分解性添加剤を含む石油由来のプラスチックに基づいている、請求項１から４までのいずれか一項に記載の植物灌漑システム。
【請求項６】
前記収集構造体の中に設置可能な若い植物を少なくとも部分的に横側で取り囲むために、前記収集構造体に接続されたチューブをさらに含む、請求項１から５までのいずれか一項に記載の植物灌漑システム。
【請求項７】
前記チューブが、主に、ディスク状領域、正方形状領域、バーベル状領域、または細長い領域として形状付けされた領域を取り囲んでいる、請求項１から６までのいずれか一項に記載の植物灌漑システム。
【請求項８】
前記収集構造体および前記貯蔵部が、取り外し可能に連結されている、請求項１から７までのいずれか一項に記載の植物灌漑システム。
【請求項９】
前記収集構造体および／または前記貯蔵部が、入れ子にすることが可能である、請求項１から８までのいずれか一項に記載の植物灌漑システム。
【請求項１０】
前記チューブが、前記貯蔵部の内側壁を形成している、請求項１から９までのいずれか一項に記載の植物灌漑システム。
【請求項１１】
前記水回収表面が、使用中に前記重力方向に対して第１の角度を成す受け入れ表面と、前記受け入れ表面の底部縁部を境界づける収集表面と、を含み、
前記収集表面が、使用中に前記重力方向に対して第２の角度を成し、
前記第１の角度が、前記第２の角度よりも小さい、請求項１から１０までのいずれか一項に記載の植物灌漑システム。
【請求項１２】
前記水回収表面が、実質的に漏斗形状である、請求項１から１１までのいずれか一項に記載の植物灌漑システム。
【請求項１３】
前記収集表面が、前記重力方向に対して実質的に横断している、請求項１から１２までのいずれか一項に記載の植物灌漑システム。
【請求項１４】
前記収集表面が、前記チューブを取り囲む溝を形成している、請求項１から１３までのいずれか一項に記載の植物灌漑システム。
【請求項１５】
前記受け入れ表面が、単一のまたは複数の実質的に平坦なセグメントを含む、請求項１から１４までのいずれか一項に記載の植物灌漑システム。
【請求項１６】
前記溝が、主に、前記チューブと前記貯蔵部の外側壁との間の中間の半径方向位置に位置付けられている、請求項１から１５までのいずれか一項に記載の植物灌漑システム。
【請求項１７】
前記溝が、前記貯蔵部の外側壁の近くの半径方向位置に位置付けられている、請求項１から１６までのいずれか一項に記載の植物灌漑システム。
【請求項１８】
前記収集構造体が、前記溝から下向きに前記貯蔵部の中へ延在する少なくとも１つの流出パイプを含む、請求項１から１７までのいずれか一項に記載の植物灌漑システム。
【請求項１９】
前記収集構造体が、受動的弁システムを含み、前記受動的弁システムが、前記溝が濡れているときに前記溝から前記貯蔵部の中へ水が流れることを可能にするための開口を提供し、前記溝が乾燥しているときに実質的に前記開口を閉じる、請求項１から１８までのいずれか一項に記載の植物灌漑システム。
【請求項２０】
前記収集構造体が、前記貯蔵部の前記外側壁を越えて延在し、スナップばめを使用して前記外側壁に接続されている、請求項１から１９までのいずれか一項に記載の植物灌漑システム。
【請求項２１】
前記灌漑手段が、前記貯蔵部に固定されたリングモジュールを含み、灌漑エレメントが、前記リングモジュールを通って延在する、請求項１から２０までのいずれか一項に記載の植物灌漑システム。
【請求項２２】
前記貯蔵部には、空気開口が設けられている、請求項１から２１までのいずれか一項に記載の植物灌漑システム。
【請求項２３】
前記外側貯蔵部壁が、局所的に内向きに曲がっている構造体を有しており、複数のシステムが互いに隣合って設置されたときに、前記システムの外側に栽植スペースを提供する、請求項１から２２までのいずれか一項に記載の植物灌漑システム。
【請求項２４】
芳香物質、香味料、抗真菌性材料、および／または、有害動物を追い払うための少なくとも１つの殺虫剤、および／または菌類を散布するために配置されている、請求項１から２３までのいずれか一項に記載の植物灌漑システム。
【請求項２５】
前記チューブから離れて前記貯蔵部の外側側壁を越えて延在する張り出し部分をさらに含む、請求項１から２４までのいずれか一項に記載の植物灌漑システム。
【請求項２６】
前記張り出し部分が、前記収集構造体の一部である、請求項２４に記載の植物灌漑システム。
【請求項２７】
前記水回収表面が、前記張り出し部分の上側表面セクションを含む、請求項２４または２５に記載の植物灌漑システム。
【請求項２８】
前記若い植物専用の、および／または、前記若い植物が植えられることとなる前記土壌構造専用の、散布可能な添加剤を含む、請求項１から２７までのいずれか一項に記載の植物灌漑システム。
【請求項２９】
前記散布可能な添加剤が、前記収集構造体および／または前記貯蔵部の前記ベース材料の中に一体化されている、請求項２８に記載の植物灌漑システム。
【請求項３０】
植物灌漑システムを製造する方法であって、
前記植物灌漑システムが、大気中に存在する水分を収集するための収集構造体を含み、
前記収集構造体には、使用中に重力方向に対して少なくとも部分的に所定の角度を成す水回収表面が設けられており、
前記植物灌漑システムは、回収された水分を貯蔵するための貯蔵部をさらに含み、
前記貯蔵部には、前記貯蔵部の中に存在する水分を、その下方に位置する下層土へ伝達するための灌漑手段が設けられており、前記方法が、紙材料および／または生物分解性プラスチックから前記収集構造体および前記貯蔵部を製造するステップを含む、方法。
【請求項３１】
前記貯蔵部壁の高さが、所定の寸法の前記外側貯蔵部壁の上側から始め、かつ、所望の貯蔵部容積を選択することによって決定される、請求項３０に記載の方法。
【請求項３２】
若い植物を選択するステップと、
前記若い植物が植えられることとなる土壌構造から情報を引き出すステップと、
若い植物の成長を促進させるための植物灌漑システムを提供するステップであって、前記システムが、前記若い植物専用の、および／または、前記若い植物が植えられることとなる前記土壌構造専用の、散布可能な添加剤を含む、ステップと、
をさらに含む、請求項３０または３１に記載の方法。
【請求項３３】
複数の散布可能な添加剤の種が、前記植物灌漑システムの前記ベース材料の中に含まれている、請求項３２に記載の方法。
【請求項３４】
添加剤が、酸性度、塩分濃度、および／または石灰濃度など、土壌性質を修正する、請求項３２または３３に記載の方法。
【請求項３５】
前記散布可能な添加剤が、芳香物質、ショウノウ、唐辛子、胡椒、および／もしくはガーリックなど香味料、肥料、菌根、抗真菌性材料、殺虫剤、菌類、象の排泄物など動物の尿もしくは排泄物、砂糖、はちみつ、および／もしくはシロップなど餌、ならびに/または、乾燥メラレウカ種、乾燥タクソディウム種、および／もしくは、乾燥ジュニパー種など、乾燥された植物の部分を含む、請求項３２から３４までのいずれか一項に記載の方法。
【請求項３６】
前記散布可能な添加剤が、種子、共生バクテリア、卵、栄養分、および／または胞子を含む、請求項３２から３５までのいずれか一項に記載の方法。
【請求項３７】
前記散布可能な添加剤が、ガラス粉砕物、砂粉砕物、金属粉砕物、セメント、石灰、ケイ素、および／またはゴムなど、有害動物に害を与える材料を含む、請求項３２から３６までのいずれか一項に記載の方法。
【請求項３８】
前記若い植物専用の、および／または、前記若い植物が植えられることとなる前記土壌構造専用の添加剤を含むコーティング層で、前記植物灌漑システムをコーティングするステップを含む、請求項３２から３７までのいずれか一項に記載の方法。
【請求項３９】
前記植物灌漑システムに色を提供するステップであって、第１の添加剤成分を備えた第１の植物灌漑システムが、第１の色を有し、前記第１の添加剤成分とは異なる第２の添加剤成分を備えた第２の植物灌漑システムが、前記第１の色とは異なる第２の色を有する、ステップを含む、請求項３２から３８までのいずれか一項に記載の方法。
【発明の詳細な説明】
【技術分野】
【０００１】
本発明は、植物灌漑システムに関し、植物灌漑システムは、大気中に存在する水分を収集するための収集構造体を含み、収集構造体には、水回収表面が設けられており、水回収表面は、使用中に、重力方向に対して少なくとも部分的に所定の角度を成しており、植物灌漑システムは、回収された水分を貯蔵するための貯蔵部をさらに含み、貯蔵部には、貯蔵部の中に存在する水分を、その下方に位置する下層土へ伝達するための灌漑手段が設けられている。
【背景技術】
【０００２】
特許文献１は、若い植物または種子を灌漑するために使用することが可能であるような灌漑システムを開示している。
【先行技術文献】
【特許文献】
【０００３】
【特許文献１】国際特許出願第２０１０／０５０５８１号パンフレット
【特許文献２】蘭国特許出願第２００３９７４号明細書
【発明の概要】
【発明が解決しようとする課題】
【０００４】
本発明の目的は、原価の低減された植物灌漑システムを提供することである。さらに、収集構造体および貯蔵部は、紙材料および／または生物分解性プラスチックから製造されている。
【課題を解決するための手段】
【０００５】
紙材料および／または生物分解性プラスチックを使用することによって、植物灌漑システムを、非常に安価に製造することできる。さらに、環境への影響が減少する。いくつかのボール紙、ペーパーフォーム（ｐａｐｅｒ  ｆｏａｍ）、および／または繊維紙のタイプは容易に破れるので、それによって、システムの盗難を防止する。
【０００６】
本発明によるさらなる有利な実施形態が、以下の特許請求の範囲に記載されている。
【０００７】
また、本発明は、植物灌漑システムを製造する方法に関する。
【０００８】
全ての土壌のタイプが、若い植物の最適な成長を可能にする土壌条件に合うわけではないので、地球上の異なる土壌種の中で若い植物を上手く栽培するために、土壌の成分を変化させることが望ましい場合がある。土壌の成分を変化させることは、実際に植物を植える前に、前処理の過程によって実施することができる。次に、植物を植えることができ、灌漑システムなど植物促進システムを、特に乾燥している下層土または岩の多い下層土など比較的極端な気象条件に露出される領域において、若い植物のための成長条件を改善するために設置することができる。
【０００９】
しかし、土壌を前処理することは、高価であり、かつ／または、手間がかかる場合がある。
【００１０】
本発明のさらなる目的は、土壌を前処理することなく、土壌成分を変化させる方法を提供することである。さらに、本発明によるさらなる方法は、若い植物を選択するステップと、若い植物が植えられることとなる土壌構造の情報を取り出すステップと、若い植物の成長を促進させるための植物灌漑システムを提供するステップであって、植物灌漑システムが、若い植物専用の、および／または、若い植物が植えられることとなる土壌構造専用の、散布可能な添加剤を含む、ステップと、を含む。
【００１１】
植物灌漑システムの中に散布可能な添加剤を含むことによって、植物の近くに植物灌漑システムを単に設置するだけで、地面成分を、例えば、酸性度、塩分濃度、および／または石灰濃度の点において変化させることが可能である。ここで、労力およびコストを節約するため、土壌を前処理するプロセスは、省略されることが可能である。
【００１２】
若い植物を選択するステップと、若い植物が植えられることとなる土壌構造から情報を引き出すステップと、若い植物の成長を促進させるための植物灌漑システムを提供するステップであって、植物灌漑システムが、若い植物専用の、および／または、若い植物が植えられることとなる土壌構造専用の、散布可能な添加剤を含む、ステップと、を含む方法を、特定の植物灌漑システムと組み合わせて適用されることが可能であり、特定の植物灌漑システムでは、例えば、システムが、大気中に存在する水分を収集するための収集構造体を含み、収集構造体には、使用中に重力方向に対して少なくとも部分的に所定の角度を成す水回収表面が設けられており、植物灌漑システムは、回収された水分を貯蔵するための貯蔵部をさらに含み、貯蔵部には、貯蔵部の中に存在する水分を、その下方に位置する下層土へ伝達するための灌漑手段が設けられており、収集構造体および貯蔵部は、紙材料および／または生物分解性プラスチックを含むということに留意されたい。しかし、上述の方法で使用される植物灌漑システムは、例えば貯蔵部を有しないなど、別な方法で実施されることも可能であるが、若い植物専用の、および／または、若い植物が植えられることとなる土壌構造専用の、散布可能な添加剤を含む。
【００１３】
さらに、芳香物質、ショウノウ、唐辛子、胡椒、もしくはガーリックなど香味料、肥料、菌根、抗真菌性物質、殺虫剤、菌類、象の排泄物など動物の尿もしくは排泄物、砂糖、はちみつ、および／もしくはシロップなど餌、ならびに/または、乾燥メラレウカ（Ｍｅｌａｌｅｕｃａ）種、乾燥タクソディウム（Ｔａｘｏｄｉｄｉｕｍ）種、および／もしくは、乾燥ジュニパー種など乾燥された植物の部分などの、散布可能な添加剤を含むことによって、例えば有害動物を追い払って環境に影響を及ぼすことができ、それによって、若い植物のための成長条件をさらに改善させる。特に、動物の尿または排泄物を含むことによって、有害動物を追い払うことが可能である。一方では、餌を含むことによって、蜂など特定の動物を、若い植物に引きつけることが可能である。
【００１４】
種子、共生バクテリア、卵、栄養分、および／または胞子を添加剤として選択することによって、若い植物に、特定の植物種に対して有益であって、かつ、特定の植物種専用の有機材料を提供することが可能である。
【００１５】
また、ガラス粉砕物、砂粉砕物、金属粉砕物、セメント、石灰、ケイ素、および／またはゴムなど、有害動物に害を与える材料を、添加剤の中に含ませることが可能である。
【００１６】
植物灌漑システムは、生物分解性材料および／またはパルプから作製することが可能であり、製造コストを低減させ、環境への影響を低く維持することができる。生物分解性材料を使用することによって、ベース材料と一体化された場合には薬剤としての役割を果たす添加剤を、投与するように散布することができる。
【００１７】
若い植物専用の、および／または、若い植物が植えられることとなる土壌構造専用の添加剤を含むコーティング層で、植物灌漑システムをコーティングすることによって、標準化された植物灌漑システムを、地球上の特定の領域での最新の製造ステップを適用することによる使用に適切なものにすることができる。コーティングステップは、主として製造場所において、または現地で、特定の植栽、またはその近くにおいて、実施することができる。また、標準化された植物灌漑システムに、添加剤を備えることができることにも留意されたい。
【００１８】
さらに、植物灌漑システムは、色を備えることが可能である。ここで、第１の添加剤成分を有する第１の植物灌漑システムが、第１の色を備えることが可能であり、一方、第１の添加剤成分とは異なる第２の添加剤成分を有する第２の植物灌漑システムが、第１の色とは異なる第２の色を備えることが可能である。それによって、植物灌漑システムは、それらの目的に対して視覚的に容易に識別可能である。
【００１９】
植物灌漑システムに着色された最上層を付与することによって、例えば、着色プロセスによって、色を提供することが可能である。しかし、また、別な方法で、例えば、着色粒子を植物灌漑システムに浸透させることによって、色を提供することが可能である。例として、植物灌漑システムがパルプから作製されている場合、材料に着色(染色)物質をしみこませることが可能である。
【００２０】
植物灌漑システムを着色することによって、システムを適用する人は、どのシステムを、特定の領域において、または、特定の植物を育種するために使用することが可能であるかを、容易に決定することが可能である。好ましくは、システムを扱う人が、意図されている土壌タイプに、または、若い植物が植えられることとなる他の領域の周囲環境に、システムをすぐに関連付けるように、システムの特定の色を選ぶことが可能である。例として、黄色システムを、砂漠での使用を意図したものとし、一方、灰色システムを、岩の多い土壌での使用を意図したものとしてもよい。特別の土壌タイプに自然に関連付けされた色でシステムを着色することによって、異なるシステムの適用が簡単になるので、不適当なシステムを採用する可能性はほとんどゼロになる。また、システムは、熟練していない人が使用することも、または、読み書きのできない人が使用することも可能である。
【００２１】
上記に説明されている最上層およびコーティング層は、一体化することが可能である。しかし、また、層を、別々に付与することが可能であり、または、層のタイプのうちの１つだけを適用することが可能である。
【００２２】
ここで、一例として、本発明の実施形態を、添付の図を参照して説明する。
【図面の簡単な説明】
【００２３】
【図１】本発明による植物灌漑システムの第１の実施形態の概略斜視断面図である。
【図２】図１の植物灌漑システムの概略斜視上面図である。
【図３】本発明による植物灌漑システムの第２の実施形態の概略斜視断面図である。
【図４】本発明による植物灌漑システムの第３の実施形態の概略斜視断面図である。
【図５】本発明による植物灌漑システムの第４の実施形態の概略斜視図である。
【図６】図５の植物灌漑システムの概略斜視断面図である。
【図７】本発明による複数の植物灌漑システム１の概略上面図である。
【発明を実施するための形態】
【００２４】
図は、単に、本発明による好適な実施形態を示しているということに留意されたい。図では、同じ参照番号は、同等の部分または対応する部分を参照している。
【００２５】
図１は、本発明による植物灌漑システム１の第１の実施形態の概略斜視断面図を示している。システム１は、大気中に存在する水分を収集するための収集構造体９９を含み、収集構造体９９には、水回収表面２４が設けられており、水回収表面２４は、使用中に、重力方向に対して少なくとも部分的に所定の角度を成している。また、システム１は、回収された水分を貯蔵するための貯蔵部９８を含み、貯蔵部９８には、貯蔵部９８の中に存在する水分を、その下方に位置する下層土へ伝達するための灌漑手段１９、２１が設けられている。
【００２６】
本発明の態様によれば、収集構造体９９および／または貯蔵部９８は、紙材料または生物分解性プラスチックから製造されている。紙材料は、ボール紙、セルロース、例えば紙ティシュ―（ｐａｐｅｒ  ｔｉｓｓｕｅ）、ペーパーフォーム、および／または繊維紙を含むことが可能である。
【００２７】
例として、繊維紙は、ココナツ繊維、綿繊維、バナナ繊維、ジュート繊維、羊毛繊維、わら繊維、牧草繊維、麻繊維、ケナフ繊維、麦わら紙、ヒマワリの茎の繊維、ボロ切れ繊維（ｒａｇｓ  ｆｉｂｅｒ）、クワの紙（ｍｕｌｂｅｒｒｙ  ｐａｐｅｒ）、および／またはコウゾを含むことが可能である。
【００２８】
生物分解性プラスチックは、石油由来のプラスチックまたは再生可能な原材料に基づくことが可能であり、両方とも、生物分解性添加剤を含む。
【００２９】
一般的に、石油由来のプラスチックは、炭化水素として知られている。生物分解プロセスの間、微生物は、プラスチックの分子構造を代謝させ（ｍｅｔａｂｏｌｉｚｅ）、不活性腐植材料、水、ならびに、ＣＨ４およびＣＯ２などバイオガスを生成することが可能である。生物分解性添加剤の例は、炭化水素のポリマー鎖を開鎖するための有機化合物、および、プラスチックの上に微生物コロナイゼーションを促進する誘引物質を含むエコピュアとして知られている市販の物質である。生物分解は、原子レベルで起こり、嫌気性または好気性である。例として、生物分解性添加剤は、ＰＶＣ、ＰＥ、ＰＰ、ＰＳ、ＰＣ、ＰＥＴ、およびＰＡなど多種多様なプラスチックに適用することが可能である。
【００３０】
生物分解性プラスチックを形成するための再生可能な原材料は、プラスチック（例えば、４０％）と組み合わせられた木質繊維（例えば、６０％）を含むことが可能である。適切な生物分解性添加剤が加えられると、材料が、生物分解性にされる。
【００３１】
そのようなパルプは、様々な材料を含むことが可能である。好ましくは、パルプは、生物分解性材料から構成される。例えば、使用されるパルプは、主に（例えば、少なくとも９０％、例えば、少なくとも９９％は）、木材パルプ、紙パルプ、または、紙パルプと木材パルプとの組み合わせから構成される。パルプは、同様に他の材料を含むことが可能であり、例えば、上述されてきた１つまたは複数の材料を含むことが可能である。
【００３２】
代替的に、パルプは、それが型に供給されるときに、液体（例えば、水）を含有しており、成形プロセスの間に、および／または、成形プロセスの後に、パルプを乾燥させる（すなわち、液体が、パルプから除去される）ことが可能である。
【００３３】
好ましくは、収集構造体および貯蔵部を形成する材料は、不透水性の材料を含み、かつ/または、液体不浸透性のコーティングを、例えば、内側および／もしくは外側に備える。さらに、形成材料は、生物分解性の層でコーティングされることが可能であり、生物分解性の層は、好ましくは、所定の厚みを有しており、所望の程度の分解速度（ｄｅｇｒａｄｅｄｎｅｓｓ）が設定され得るようになっている。代替的に、または、追加的に、生物分解性の層の分解速度は、投与された保存材料の量を含ませることによって、設定することが可能である。さらに、分解速度は、特定の部分を地面レベルに対して特定の高さに局在化させることによって、設定することが可能である。一般的に、収集構造体の中の材料は、地面に対する位置に起因して、貯蔵部の中の材料よりも遅く分解される。
【００３４】
好ましくは、収集構造体および／または貯蔵部のベース材料は、ベース材料の分解可能な特性に起因して、特定の期間、ベース材料に結合されており、次いで、環境中に散布される特定の材料、添加剤を含む。ベース材料の分解速度を設定することによって、特定の材料の散布の程度を決定することが可能である。この点において、風、湿度など環境パラメータが、ベース材料の分解速度に影響を与える場合があるということに留意されたい。
【００３５】
代替例として、添加剤が、植物灌漑システムに、例えば、システムの外側表面にあるポケットの中、または、接着層の中に付着（ａｔｔａｃｈ）されており、それによってシステムが土壌上に設置された後、添加剤が、散布され得る。
【００３６】
植物灌漑システムおよび若い植物を配置した後、添加剤が、すぐに土壌構造の中に分散され得る。特に、添加剤は、次いで、若い植物の根を含有する土壌の中に浸透することが可能であり、したがって、若い植物のための生存条件を改善する。
【００３７】
貯蔵部の底部が土壌を覆っているので、添加剤が、すぐに、貯蔵部のすぐ下の土壌の中に広がることが可能である。例として、菌根または他の菌類、より一般的には親水性の添加剤が、すぐに散布され、かつ/または、貯蔵部の下の極端に高い湿度の影響下において、増殖することが可能である。貯蔵部の下方の空気は、湿分で飽和させることも可能であり、したがって、根が成長するための周囲環境を改善する。この点において、貯蔵部の下方に日光が進入しないということに留意されたい。さらに、貯蔵部のすぐ下の土壌は、極端に高温になったり、極端に低温になったりしないので、温度条件は比較的適度である。貯蔵部の熱容量、および、その中の水に起因して、貯蔵部の下の温度は、主に、大気の温度推移にしたがい、極端になることは避けられる。
【００３８】
したがって、若い植物の成長を促進するために、添加剤を、構造体のベース材料と一体化することが可能である。さらに、添加剤を、外側もしくは内側のいずれかに、または両側に構造体の上に設けられたコーティング層の中に含ませることが可能である。コーティング層は、吹付けまたは浸漬など既知のコーティングプロセスを使用して、構造体の上に設けることが可能である。次いで、添加剤を、構造体の表面に付着させる。また、添加剤は、添加剤を含むキャリア材料で構造体を含浸させることによって提供することもできる。次いで、構造体全体、または、その本質的部分に、添加剤が浸透する。
【００３９】
例えば浸漬プロセスなど、上述の技術のうちの少なくとも１つを、植物育種システムが設置されることとなり、若い植物が植えられることとなる場所において、実施することが可能であり、それによって、原理的に地球上のどの場所にでも適用することに適したシステムを提供し、一方、例えば浸漬プロセスなどの最新のプロセスステップが、このシステムが、重要な位置において特に専ら使用される。加えて、システムを実際に設置する前に、比較的短い時間、添加剤を提供することによって、添加剤を、すぐに下層土および若い植物の根構造体の根元の構造体の少なくとも一部を担持する土壌の球状部分（ｂａｌｌ  ｏｆ  ｓｏｉｌ）に浸透し始めさせることが可能である。そして、添加剤は、輸送および／または保管の間に損なわれない。
【００４０】
本発明による特定の実施形態では、接着剤を付与することによって、好ましくは、樹脂またはシロップなど生物分解性接着剤を付与することによって、添加剤がシステムの表面に付着する。接着剤は、例えば、浸漬プロセス、スプレープロセス、および／またはドリッピングプロセスを適用することによって、様々な方法でシステムの表面の上に提供することが可能である。
【００４１】
とくに、添加剤が、植物灌漑システムの貯蔵部の中に提供され、それによって貯蔵部の中に貯蔵された水分が、例えば、栄養分、菌根、または、水の純度の点から調整されることにより灌漑水を特定の植物の条件に最適化する。
【００４２】
本発明による好適な実施形態では、外側貯蔵部表面の下側部分には、例えば、上記に記載されたように、接着剤を付与することによって添加剤を提供する。例として、外側底部部分には、少なくとも部分的に添加剤が提供されている。例えば、保管または輸送のために貯蔵部を入れ子にするとき、添加剤を、下側貯蔵部の貯蔵部の内側に持ち込む。特定の例では、外側貯蔵部表面の下側部分には、突起部または起伏部（ｒｅｌｉｅｆ）が設けられ、添加剤を貯蔵部の外側底部から、入れ子にされてその下方に位置付けられた貯蔵部の内側底部へ、容易に移送させるようになっている。
【００４３】
底部など、外側貯蔵部の下側部分にだけ添加剤を提供することによって、添加剤および接着剤が非常に効率的に消費され、材料の棄損が妨げられるようになっている。さらに、貯蔵部が、および／または、より全体的には植物灌漑システムが汚れることが妨げられる。
【００４４】
添加剤は、芳香物質、ショウノウ、唐辛子、胡椒、もしくは、ガーリックなど香味料、（人工の）肥料もしくは菌根、抗真菌性材料、および／または、シロアリなど有害動物を追い払うための、例えば、ニコチンもしくはホウ砂などの殺虫剤、および／または菌類を含むことが可能である。同様に、添加剤は、象の排泄物など動物の尿もしくは排泄物、砂糖、はちみつ、および／もしくはシロップなど餌、ならびに/または、乾燥メラレウカ種、乾燥タクソディウム種、および／もしくは、乾燥ジュニパー種など、乾燥された植物の部分を含むことが可能である。例として、乾燥ヌマスギおよび／または乾燥メラレウカ種を、シロアリを追い払うために使用することが可能である。
【００４５】
さらに、添加剤は、種子、共生バクテリア、卵、栄養分、および／または胞子を含むことが可能であり、それらは、ベース材料から離れた後に発芽することが可能であり、それによって、灌漑システムの生物多様性を改善する。
【００４６】
加えて、添加剤は、有害動物に害を与える材料を含むことが可能である。そのような材料は、ガラス粉砕物、砂粉砕物、金属粉砕物、セメント、石灰、ケイ素、ゴム、または、好ましくは毒殺することなく有害動物に害を与える任意の材料を含むことが可能である。
【００４７】
添加剤は、土壌の性質に影響を与えることが可能である。例として、酸性度を、増加させるか、または、減少させることが可能である。さらなる例として、塩分濃度を、低減させることが可能である。
【００４８】
システムは、異なる添加剤の組み合わせを含むことが可能である。例として、例えば（以下に記載されるような）収集構造体またはカップなど、システムの第１の部分が、第１の添加剤を含むことが可能であり、一方、例えば（以下に記載されるような）貯蔵部または中間部分など、システムの第２の部分が、第２の添加剤を含むことが可能である。種子、菌類、および／または胞子など添加剤の数は、ベース材料の中に一体化される前に決定することが可能である。
【００４９】
したがって、添加剤は、植物保護材料および／または植物栄養材料としての役割を果たすことが可能である。
【００５０】
例として、添加剤はガラス粉砕物、唐辛子（ピリピリ）、トウゴマ種子（ヒマシ油植物）、ニームの木（葉）、ショウノウ、アサフェティダ、硼酸（ホウ酸）、グルコノデルタラクトン（Ｅ５７５としても知られる）、炭酸カリウム（Ｅ５０１）、カリウム（灰）、硫酸マグネシウム（オランダ語では「ｂｉｔｔｅｒｚｏｕｔ」と呼ばれている)、生姜、黒胡椒、石膏、尿素（肥料）、麻（葉）、麻種子、カナビス油、メラレウカアルテニフォリア油（ティーツリー）、チョウセンアサガオ種子（とげの生えた低木のリンゴ（ｔｈｏｒｎ−ｂｕｓｈ  ａｐｐｌｅ））、セメント、羊のふんまたはヤギのふんなど動物の排泄物から構成される群のうちの少なくとも１つの要素を含むことが可能である。
【００５１】
ベース材料の中に特定の材料を一体化させることによって、ベース材料は、投与するように散布される特定の材料のための薬剤としての役割を果たす。
【００５２】
有利には、植物灌漑システムは、生物分解性材料を含むことが可能である。例として、紙材料および／または生物分解性プラスチックを使用することが可能である。
【００５３】
紙材料および／または生物分解性プラスチックを使用することによって、植物灌漑システムを非常に安価な方法で製造することできる。さらに、環境への影響が減少する。いくつかのボール紙、ペーパーフォーム、および／または繊維紙のタイプは、容易に破れるので、それによって、システムの盗難を防止する。紙材料は、ボール紙、セルロース、例えば紙組織、ペーパーフォーム、および／または繊維紙を含むことが可能である。
【００５４】
本発明の態様によれば、例えば湿気に起因して、紙材料の生物分解プロセスによって生じた、環境中に散布するための特定材料を含む紙材料キャリアが提供される。特定の材料は、灌漑システムのベース材料に関連して上記に記載された特定の材料を含むことが可能である。
【００５５】
紙材料キャリアは、灌漑システムに一体化するか、灌漑システムに固定することが可能であり、または、別々に提供することが可能である。さらに、紙材料キャリアは、例えば、畑に種子をまくために、灌漑システムなしに適用することが可能である。
【００５６】
さらに、添加剤は、植物灌漑システムの上に提供されたコーティング層の中に含ませることが可能であり、製造プロセス、貯蔵プロセス、および分配プロセスを簡単にする。有利には、構造体には、着色最上層が設けられ、特定の色が、構造体に提供された添加剤のタイプを示す。例として、黄色システムが、砂タイプの土壌に適用可能であり、緑色システムが、岩の多いタイプの土壌に適用可能であり、ピンク色システムが、高いｐＨ度を有する土壌に適用可能であり、灰色システムは、低いｐＨ度を有する土壌に適用可能である。特別の土壌および／または植物専用の添加剤成分を有する着色システムによって、システムの適用可能性が、さらに一層認識可能である。
【００５７】
特別の添加剤成分を備えたシステムは、例えば、外側表面の上にマークを提供することによって、他の方法でも識別可能にすることが可能であることに留意されたい。
【００５８】
示されている実施形態では、水回収表面２４は、雨、ブルーム（ｂｌｏｏｍ）、および、大気からの他の水分を受け入れるための特定の幾何学形状を有している。水が、ドレン２５の中に収集され、下向きに延在するパイプ２６、２７を介して貯蔵部９８に流される。湿分受け入れ構造体２４は、カバー層２２の中の開口部２３を取り外し可能に閉じるキャップ２８と、水貯蔵部９８の半径方向外側壁セクション１２ａの中の出口開口３０に過剰な水を流す出口ドレン２９とをさらに含む。壁モジュール２が、カバー層２２および湿分受け入れ構造体２４を貫通して延在しており、ドレン２５の半径方向内側壁を形成している。
【００５９】
さらに、示されている実施形態では、植物灌漑システムは、上向きに延在するチューブ２を含み、チューブ２は、水貯蔵部９８の半径方向内側壁セクション１２ｂを形成している。若い植物を少なくとも部分的に横側で（ｓｉｄｅｗａｙｓ）取り囲むために、チューブ２は、収集構造体９９に接続され、長手方向軸線Ａ２を有する。したがって、水貯蔵部９８は、半径方向外側壁セクション１２ａ、半径方向内側壁セクション１２ｂ、底部側面１１、および、水貯蔵部９８の上部セクションを形成するカバー層２２によって形成されている。
【００６０】
取り外し可能な植物保護システム１を使用する間、単一のまたは複数の種子、植物、または小さい樹木が、チューブ２によって取り囲まれた土壌領域９の中に配置されており、特許文献１でより詳細に説明されているように、一方では、それは、太陽がその軌道の最高点に到達するときに、チューブ２の近くの土壌領域４の上に影を落とすようになっており、他方では、一日のうち太陽の高さが比較的低いとき、例えば、日の出の後の数時間および／または日没の前の数時間には、土壌領域４の上に太陽光線が存在することを可能にしている。
【００６１】
さらに、システム１は、地表面に設置されており、チューブ開口部の水平配向が、地球の緯度圏（ｃｉｒｃｌｅ  ｏｆ  ｌａｔｉｔｕｄｅ）に実質的に平行に延在する、すなわち、東Ｅから西Ｗへ延在する東西線５に沿って延在するように配向されている。東西線５は、北南線に垂直であり、北南線は、示されていないが、北Ｎから南Ｓへ延在する経度線とも称される。
【００６２】
下層土を灌漑するための灌漑手段は、投与するように下層土を灌漑するための灌漑点１９を通して延在する注入針または毛細管構造体２１を含むことが可能である。代替的に、膜が適用される。
【００６３】
図２は、図１の植物灌漑システムの概略斜視上面図を示している。チューブが、主にバーベル状に形状付けされた領域を取り囲んでいる。しかし、チューブは、ディスク形領域、正方形領域、または、細長い領域など、別の領域の幾何学形状を取り囲むように形成されることも可能である。さらに、水回収表面２４は、使用中に重力方向に対して第１の角度を成す受け入れ表面と、受け入れ表面の底部縁を境界づける収集表面とを含み、その収集表面は、使用中に重力方向に対して第２の角度を成し、第１の角度は、第２の角度よりも小さい。示されている実施形態では、水回収表面２４は、複数の半径方向に延在する溝部を含み、溝部は、半径方向に延在するリムの間に挟まれている。水回収表面２４は、主に漏斗形状であり、溝部の中の水は、ドレン２５に向かって流れ、次いで、パイプ２６、２７を介して貯蔵部９８の中へ流れる。
【００６４】
図３は、本発明による植物灌漑システム１の第２の実施形態の概略斜視断面図を示している。ここで、水回収表面２４の収集表面は、重力方向に対して実質的に横断方向を成し、チューブ２を取り囲む溝２５を形成している。溝２５は、主に、チューブ２と貯蔵部９８の外側壁１２ａとの間の中間の半径方向位置に位置付けられている。水回収表面２４は、チューブ２と溝２５との間に延在する、半径方向外向きに傾けられた内側リングセグメント４１を含む。さらに、表面２４は、水貯蔵部の外側壁１２ａと溝２５との間に延在する、半径方向内向きに傾けられた外側リングセグメント４０を含む。示されている実施形態では、リングセグメント４０、４１は、大部分は平坦であり、単一のまたは複数の実質的に平坦な受け入れ表面セグメントを形成している。しかし、原理的には、リングセグメント４０、４１には、例えば半径方向に延在する溝部を含む、溝付きのパターンを設けることが可能であり、湿分回収性能、特に、露水滴の凝縮を増加させる。上記記載の水回収表面２４を提供することによって、図１に示されている実施形態の中で構成されているような出口ドレン２９は不要である。表面２４の上の回収された水のレベルが、例えば降雨時に、おおよそ所定のレベルに上昇した場合、過剰な水が、表面２４の外側リム４３を横切って流れ去る。
【００６５】
図４は、本発明による植物灌漑システム１の第３の実施形態の概略斜視断面図を示している。ここで、溝２５は、貯蔵部９８の外側壁１２ａの近くの半径方向位置に位置付けられている。ここで、水回収表面２４は、単一のリングセグメント、すなわち、チューブ２と溝２５との間に延在する、半径方向外向きに傾けられた内側リングセグメント４１を含む。明らかに、溝２５は、チューブ２と貯蔵部９８の外側壁１２ａとの間の別の半径方向位置に位置付けることが可能である。貯蔵部の外側壁１２ａとチューブとの間のどこかに溝を位置付けることによって、貯蔵部の高さを、図１および図２に示されている構成に対して同じ容積を維持しながら、低減させ、それによって、材料を節約することができる。図３および図４の溝２５は、溝２５から下向きに貯蔵部９８の中へ延在する少なくとも１つの流出パイプ２６、２７を含む。原理的に、流出パイプ２６、２７は、溝２５と一体化することが可能である。しかし、流出パイプは、溝２５の開口部中に組み込むために別々に形成することも可能である。
【００６６】
有利には、収集構造体は、受動的弁システムを含むことが可能であり、受動的弁システムは、溝が濡れているときに溝２５から貯蔵部９８の中へ水が流れることを可能にするための開口を提供し、溝が乾燥しているときに実質的に開口を閉じる。例として、受動的弁システムは、内向きに延在するフィンガーを含み、フィンガーは、それらが濡れているときに下向きに曲がり、それらが乾燥しているときに水平面に延在する。したがって、貯蔵部９８の中の水の蒸発が最小化される。
【００６７】
好ましくは、収集構造体が、貯蔵部の外側壁１２ａを越えて延在し、スナップばめを使用して貯蔵部の外側壁１２ａに接続されている。示されている実施形態では、スナップばめは、貯蔵部の外側壁１２ａの上側部分に係合する、水回収表面２４の外側リム４３のスナップによって形成されており、それによってしっかりした固定が得られるようになっている。このようにして、貯蔵部９８の崩壊が妨げられ、その一方では、貯蔵部の外側壁１２ａを形成するための材料を節約することが可能である。ここで、スナップは、外側壁１２ａを超えて半径方向に延在しており、外側壁１２ａに働く半径方向外向きの力を受け止めることを可能にしている。チューブの側に、同様の構成を適用することが可能である。具体的には、チューブおよび収集構造体は、フィンガーが開口部を通って延在する構成を使用して、相互接続することが可能であり、したがって、チューブの形状の望ましくない変形に対抗している。
【００６８】
収集構造体および貯蔵部は、好ましくは、取り外し可能に連結され、それら自身の上に入れ子にされることが可能であり、それによって、保管および／または輸送のスペースを節約する。さらに、カバー層２２、および、カバー層２２の中の開口部２３を取り外し可能に閉じるキャップ２８は、図３および図４に示されている実施形態に残されており、それによって、灌漑システム１の設計を簡単にしている。また、収集構造体および貯蔵部は、接着によって互いに固定することも可能であり、それによって、貯蔵部が開けられることを防止し、例えば、盗難を防止する。代替的に、収集構造体および貯蔵部は、一体的に形成されている。
【００６９】
好ましくは、灌漑手段は、貯蔵部底部に固定されたリングモジュール４２を含み、灌漑エレメント２１が、リングモジュール４２を通って延在しており、意図しない水の損失を引き起こさずに、耐久性のある灌漑構成体が得られるようになっている。さらに、有利には、貯蔵部９８には、空気開口が設けられ、それによって、貯蔵部９８の中の減圧（ｕｎｄｅｒ ｐｒｅｓｓｕｒｅ）によって灌漑手段が閉塞されることを回避する。
【００７０】
図３および図４に示されているようなシステム１は、例えばくぎを介して、地上の貯蔵部を安定化させるための、横方向へ延在するエレメントをさらに含む。横方向へ延在するエレメントは、例えば、剛性の高い構造体４４または可撓性を有する枢動可能な接続体のような構造体４４を介して、貯蔵部９８の底部１１または外側側壁１２ａに接続されている。明らかに、横方向へ延在するエレメントもまた、本明細書で記載されているシステムの他の実施形態に適用することが可能である。横方向へ延在するエレメントは、２つの対向する端部の間に延在する本体を含むことが可能であり、特許文献２に記載されているように、第１の端部には、植物保護システムの側部部分または底部部分に連結するための連結手段が設けられ、第２の端部は、土壌に固定するために配置されている。
【００７１】
図３および図４に示されている実施形態は、ボール紙、ペーパーフォーム、および／または繊維紙から製造することできるが、生物分解性または非生物分解性プラスチックなど他の材料から製造することも可能であるということに留意されたい。有利で、システムは、射出成形された製品モジュール、および／または真空補助成形品（ｖａｃｕｕｍ  ａｓｓｉｓｔｅｄ  ｍｏｕｌｄｉｎｇ）を含み、それによって、原価をかなり低減させる。そのような実施形態の例として、収集表面は、チューブを取り囲む溝を形成し、かつ、受け入れ表面が、単一のまたは複数の実質的に平坦なセグメントを含む。別の実施形態では、溝が、主に、チューブと貯蔵部の外側壁との間の中間の半径方向位置に位置付けられているか、または、貯蔵部の外側壁の近くの半径方向位置に位置付けられている。図５は、本発明による植物灌漑システムの第４の実施形態の概略斜視図を示している。ここで、システムは、貯蔵部９８の外側側壁１２ａを越えて、チューブ２から離れて延在する張り出し部分５０を含む。張り出し部分５０は、収集構造体９９の一部である。収集構造体９９の水回収表面２４は、張り出し部分の上側表面セクションを含む。シートとして実施されている張り出し部分５０は、チューブ２の長手方向軸線Ａ２に対して実質的に横断する方向Ｄに延在している。示されている実施形態では、張り出し部分５０が、貯蔵部９８の外側側壁１２ａの上部側から、貯蔵部９８に対して外向き方向に、チューブ２から離れて延在している。日差しがある間、張り出し部分５０は、場合によっては、日光ｓの方向に応じて、貯蔵部９８の外側側壁１２ａに近接する地面表面１０２の上に、影部１０１を発生させる。
【００７２】
チューブ２から外向きに離れて、貯蔵部の外側側壁１２ａを越えて延在する張り出し部分５０を提供することによって、直射日光ｓから対象物を遮蔽するサンシールドが得られる。遮蔽された対象物は、貯蔵部の外側側壁１２ａに近接しかつ半径方向外向き方向に延在する地面表面１０２、および／または、外側貯蔵部側壁１２ａ自身の一部を含むことが可能である。結果として、貯蔵部９８の中、および、遮蔽された地面表面１０１の下の地中に存在する水を冷やすことが可能である。貯蔵部９８および／または地面領域５６の少なくとも一部を太陽から遮蔽することによって、水貯蔵部９８の中、および／または、地面領域５６の少なくとも一部の地中の水の加熱が妨げられ、それによって、貯蔵部の中、および／または、地面領域５６の地中に含有された水の蒸発を防止する。
【００７３】
結果として、貯蔵部９８の周りの遮蔽された地面の温度は比較的低く、より良好な植物のための生存条件および成長条件を提供する。また、貯蔵部９８の周りの遮蔽された地面に存在する水分の蒸発が妨げられ、保護されることとなる植物のための生存条件および成長条件をさらに改善する。
【００７４】
張り出し部分５０を収集構造体と一体化させることによって、水回収表面２４が貯蔵部９８を越えて延在することが可能であり、水回収表面２４の領域が比較的大きくなる。したがって、比較的大量の水を回収することが可能である。
【００７５】
示されている実施形態では、張り出し部分５０は、半径方向内向きに傾けられた水回収表面２４の張り出しリングセグメント５１として形成されているが、その部分５０は、別な方法で形成することも可能であるということに留意されたい。例えば、システム１は、貯蔵部９８を完全には取り囲まない単一のまたは複数の張り出し部分セクション５２、５３を含むことが可能である。詳細な例として、システムは、システムを使用している間に、反対方向に、例えば、北方向Ｎにおよび／または南方向Ｓに延在する、一対のストリップ形状の張り出し部分５２、５３を含むことが可能である。
【００７６】
示されている実施形態では、重なり部分５０が、貯蔵部９８の上方に位置付けられた水回収表面２４から上向きに段差を有して配置されて（ｓｔａｇｇｅｒｅｄ）おり、それによって、例えば、にわか雨の間に、回収される水のための比較的大きい緩衝容積を提供する。しかし、重なり部分５０は、例えば、実質的に平坦な水回収表面を提供することによって、他の収集構造体部品に合わせて配置することも可能である。
【００７７】
代替的な実施形態では、張り出し部分５０は、収集構造体９９の一部ではなく、別々に形成される。そして、張り出し部分５０は、水回収表面に近接せずに配置されてもよく、例えば、貯蔵部９８の外側側壁１２ａの中間など、別の場所に設置されてもよい。そして、張り出し部分が、冷やされることとなる対象物を遮蔽する日よけとして機能する。張り出し部分は、貯蔵部の外側側壁１２ａに一体化することが可能であるか、または、別々に製造して外側側壁１２ａに取り付けることが可能である。
【００７８】
好ましくは、張り出し部分５０は、日光が部分５０を通って進行することを防止するために日光を反射および／または吸収することが可能な材料を含む。代替的に、または追加的に、張り出し部分５０は、日光を反射および／または吸収するためのコーティングで、コーティングすることが可能である。
【００７９】
張り出しシート５０は、貯蔵部９８の外側側壁１２ａの上部側の近くに設置される必要はなく、半径方向内向きに傾けられる必要もないということに留意されたい。例えば、張り出しシート５０が、地面領域５６を保護するためにサンシェイドとして形成された場合、張り出しシートを、水回収表面２４よりも下側に、例えば半径方向外側壁セクション12aの中間に設置することが可能である。さらに、張り出しシート５０は、実質的に水平方向に配向することも、または、半径方向に傾けて外向きに配向することも可能である。
【００８０】
図６は、図５の植物灌漑システムの概略斜視断面図を示している。システム１は、複数の別々のモジュールを含み、それらは、システムの一体化部分としては製造されていない。第１のモジュールは、水貯蔵部９８の半径方向外側壁セクション１２ａ、半径方向内側壁セクション１２ｂ、および、底部側面１１によって形成された容器（ｂｉｎ）である。システム１の第２のモジュールは、張り出し部分５０および水回収表面２４を含む収集構造体９９である。また、流出パイプ２６、２７は、別々のモジュールとして形成するか、または、収集構造体９９と一体的に形成することが可能である。
【００８１】
モジュール式のアプローチを適用することによって、モジュールの横寸法は、比較的小さくなる。さらに、モジュールは、例えば、材料および／またはコストの点から、最適化することが可能である。可能性のある別の利点は、モジュールは、それらを効率的に入れ子にすることが可能な、例えば、容器および／または収集構造体９９となるように設計することが可能であり、それによって、モジュールを保管および／または輸送するために必要なスペースを低減させるということである。結果として、多数のモジュールが、輸送パレットまたは別の輸送ユニットに保管することが可能である。
【００８２】
製造される別々のモジュールの寸法を比較的小さく維持することによって、製造プロセスを比較的安価にすることが可能である。例として、容器を生成するために、例えば、射出成形、真空補助成形、および／またはトランスファー成形用に、型が使用されるとき、その直径６０および高さ６２を含む容器の寸法を、原価に関して最適化することが可能である。同様の最適化が、収集構造体９９を生成するための型に適用することが可能である。比較的小さい型は、その原価を低減させる可能性がある。
【００８３】
また、システム、または、その部品が、ボール紙、セルロース、ペーパーフォーム、および／または繊維紙など、紙材料から製造されるとき、原価は、低く維持される可能性がある。繊維状のパルプスラリーで満たされた浴槽の中に細かいワイヤーメッシュを浸し、スラリーをメッシュに向かって吸い上げることによって、モジュールを形成させる場合において、モジュールが比較的小さい寸法を有している場合には、比較的低い原価を得ることが可能である。
【００８４】
例として、容器の直径が比較的小さく選ばれた場合、比較的多数の容器を同時に形成することが可能である。そして、容器の直径は比較的小さいが、収集構造体は別々に製造されるので、依然として大きい水回収表面領域をシステムに実現することが可能である。固定された比較的小さい容器直径と組み合わせて、適切な容器の高さを選択することによって、特定の貯蔵部容積を得ることが可能である。ひいては、大きい貯蔵部容積が望まれる場合であっても、製造コストを比較的低く維持することが可能である。
【００８５】
貯蔵部容積の点からする、すなわち、貯蔵部の中に貯蔵することが可能である水の量の点から検討すると、貯蔵部を比較的高く、かつ、水平面の寸法を比較的小さくすることによって、ベース材料を節約することが可能である。そして、比較的多数の貯蔵部９８を、浴槽の中で同時に製造することができる。一方では、水回収表面を比較的大きくすることによって、貯蔵部の水平方向寸法とは無関係に、大気中に存在する水分を回収するための大きい領域が得られる。
【００８６】
植物灌漑システム１の収集構造体９９および貯蔵部９８は、紙材料および／または生物分解性プラスチックから作製することが可能であるということに留意されたい。代替的には、チューブから離れて貯蔵部の外側側壁を越えて延在する張り出し部分を含む植物灌漑システムの収集構造体９９および／または貯蔵部９８は、非生物分解性の石油由来のプラスチックなど他の材料から作製される。
【００８７】
また、チューブは、上からの視点で見たときにバーベル状、ディスク状、または正方形状を画定する壁として形成することも可能であるということに留意されたい。しかし、また、チューブは、例えば、上からの視点で見たときに細長い閉じられたスロットまたは半開きのスロットを形成するなど、別の方法で形成することも可能である。
【００８８】
図７は、本発明による複数の植物灌漑システム１の概略上面図を示している。ここで、システムは、主に、２つの短辺４６および２つの長辺４７を有する長方形状のボックスとして形状付けされている。図７に示されているように、この実施形態では、植物灌漑システムは、局所的に内向きに曲がっている構造を有しており、複数のシステムが互いに隣合って設置されたときに、システム１の外側に栽植スペース４５を提供する。栽植スペース４５内に、単一のまたは複数の植物を植えることができ、それによって、植物灌漑システムを形成するために使用される材料の効率をさらに改善する。
【００８９】
本発明の態様によれば、植物灌漑システムを製造する方法が提供され、植物灌漑システムは、大気中に存在する水分を収集するための収集構造体を含み、収集構造体には、使用中に重力方向に対して少なくとも部分的に所定の角度を成す水回収表面が設けられており、植物灌漑システムは、回収された水分を貯蔵するための貯蔵部をさらに含み、貯蔵部には、貯蔵部の中に存在する水分を、その下方に位置する下層土へ伝達するための灌漑手段が設けられており、この方法は、ボール紙、ペーパーフォーム、および／または繊維紙から収集構造体および貯蔵部を製造するステップを含む。
【００９０】
好ましくは、収集構造体および貯蔵部を構成するとき、貯蔵部壁の高さは、所定の寸法の外側貯蔵部壁の上側から始め、かつ、所望の貯蔵部容積を選択することで決定される。さらに、貯蔵部容積の範囲に関して、外側貯蔵部壁の上側は固定された測定寸法を有するので、単一の収集構造体が適する。
【００９１】
本発明は、本明細書で記載されている実施形態に限定されない。多くの変形例が可能であるということが理解されるであろう。
【００９２】
植物灌漑システムは、原理的に、Ｕ字形状、多角形状、正方形状、長方形状、三角形状、円形状、楕円形状など、上面図で見たときに任意の閉じられた周囲を有することが可能であるということに留意されたい。さらに、灌漑システムは上記に記載されたチューブなしで形成することが可能である。また、灌漑システムは、バッグ、容器、タンク、またはポットとして形成することが可能である。
【００９３】
また、チューブは、正方形状、円形状、長方形状、または、Ｕ字形状など半閉じされた輪郭もしくは半開きの輪郭など、所望の輪郭を有することが可能である。
【００９４】
図１に示されているシステムに適用されているカバー層２２は、原理的に、例えば隔離目的のために、図３および図４に示されているシステムにも適用することが可能であり、貯蔵部の中の水の温度が高温になり過ぎることを防止するということに留意されたい。
【００９５】
収集構造体および／または貯蔵部には、熱隔離層を設けられることが可能であり、貯蔵部の中の水の過剰な増加を防止する。例として、収集構造体は、中空スペース、または熱隔離材料、例えば、パーライト粒子を含むことが可能である。
【００９６】
若い植物の成長を促進させるための任意の構造体が、若い植物専用の、および／または、若い植物が植えられることとなる土壌構造専用の、散布可能な添加剤を含むことが可能であるということにさらに留意されたい。
【００９７】
そのような他の変形例は、当業者には明らかであるとともに、以下の特許請求の範囲に規定されている本発明の範囲に含まれるものと考えられる。
【符号の説明】
【００９８】
１  植物灌漑システム、植物保護システム
２  チューブ、壁モジュール
４  土壌領域
５  東西線
９  土壌領域
１１  底部側面
１２ａ  外側貯蔵部側壁、半径方向外側壁セクション
１２ｂ  半径方向内側壁セクション
１９  灌漑手段、灌漑点
２１  灌漑エレメント、毛細管構造体
２２  カバー層
２３  開口部
２４  水回収表面、湿分受け入れ構造体
２５  ドレン、溝
２６  流出パイプ
２７  流出パイプ
２８  キャップ
２９  出口ドレン
３０  出口開口
４０  外側リングセグメント
４１  内側リングセグメント
４２  リングモジュール
４３  外側リム
４４  剛性の高い構造体、可撓性の構造体
４５  植物のスペース
４６  短い方の辺
４７  長い方の辺
５０  シート
５０  張り出し部分、張り出しシート
５１  リングセグメント
５２  張り出し部分セクション
５３  張り出し部分セクション
５６  地面領域
６０  直径
６２  高さ
９８  貯蔵部
９９  収集構造体
１０１  影部
１０１  地面表面
１０２  地面表面
Ａ２  長手方向軸線
Ｄ  横断する方向
Ｅ  東
Ｎ  北
Ｓ  南
Ｗ  西
ｓ  日光
【図１】
2014506124.tif 000003
【図２】
2014506124.tif 000004
【図３】
2014506124.tif 000005
【図４】
2014506124.tif 000006
【図５】
2014506124.tif 000007
【図６】
2014506124.tif 000008
【図７】
2014506124.tif 000009
【手続補正書】
【提出日】平成25年8月15日(2013.8.15)
【手続補正１】
【補正対象書類名】特許請求の範囲
【補正対象項目名】全文
【補正方法】変更
【補正の内容】
【特許請求の範囲】
【請求項１】
大気中に存在する水分を収集するための収集構造体を含む植物灌漑システムであって、
前記収集構造体には、水回収表面が設けられており、前記水回収表面は、使用中に、重力方向に対して少なくとも部分的に所定の角度を成しており、
前記植物灌漑システムは、回収された水分を貯蔵するための貯蔵部をさらに含み、
前記貯蔵部には、前記貯蔵部の中に存在する水分を、その下方に位置する下層土へ伝達するための灌漑手段が設けられている、植物灌漑システム。
【請求項２】
前記水回収表面が、使用中に前記重力方向に対して第１の角度を成す受け入れ表面と、前記受け入れ表面の底部縁部を境界づける収集表面と、を含み、
前記収集表面が、使用中に前記重力方向に対して第２の角度を成し、
前記第１の角度が、前記第２の角度よりも小さい、請求項１に記載の植物灌漑システム。
【請求項３】
前記収集表面が、前記チューブを取り囲む溝を形成しており、前記溝が、主に、前記チューブと前記貯蔵部の外側壁との間の中間の半径方向位置に位置付けられているか、前記貯蔵部の外側壁の近くの半径方向位置に位置付けられている、請求項２に記載の植物灌漑システム。
【請求項４】
前記収集構造体が、受動的弁システムを含み、前記受動的弁システムが、前記溝が濡れているときに前記溝から前記貯蔵部の中へ水が流れることを可能にするための開口を提供し、前記溝が乾燥しているときに実質的に前記開口を閉じる、請求項２または３に記載の植物灌漑システム。
【請求項５】
前記収集構造体が、前記貯蔵部の前記外側壁を越えて延在し、スナップばめを使用して前記外側壁に接続されている、請求項２から４までのいずれか一項に記載の植物灌漑システム。
【請求項６】
前記植物灌漑システムが、若い植物専用の、および／または、前記若い植物が植えられることとなる土壌構造体専用の、散布可能な添加剤を含み、
前記システムが、さらに、芳香物質、香味料、抗真菌性材料、および/または、有害動物を追い払うための少なくとも１つの殺虫剤、および/または菌類を散布するために配置されている、請求項１から５までのいずれか一項に記載の植物灌漑システム。
【請求項７】
前記チューブから離れて前記貯蔵部の外側側壁を越えて延在する張り出し部分をさらに有し、
前記張り出し部分は、任意に前記収集構造体の一部に設けられ、
前記水回収表面は、任意に前記張り出し部分の上側表面セクションを含む、請求項２から６までのいずれか一項に記載の植物灌漑システム。
【請求項８】
前記若い植物専用の、および／または、前記若い植物が植えられることとなる前記土壌構造専用の、散布可能な添加剤を含む、請求項１から７までのいずれか一項に記載の植物灌漑システム。
【請求項９】
前記散布可能な添加剤が、前記収集構造体および／または前記貯蔵部の前記ベース材料の中に一体化されている、請求項８に記載の植物灌漑システム。
【請求項１０】
植物灌漑システムを製造する方法であって、前記植物灌漑システムが、大気中に存在する水分を収集するための収集構造体を含み、前記収集構造体には、使用中に重力方向に対して少なくとも部分的に所定の角度を成す水回収表面が設けられており、
前記方法が、
若い植物を選択するステップと、
前記若い植物が植えられることとなる土壌構造から情報を引き出すステップと、
若い植物の成長を促進させるための植物灌漑システムを提供するステップであって、前記システムが、前記若い植物専用の、および／または、前記若い植物が植えられることとなる前記土壌構造専用の、散布可能な添加剤を含む、ステップと、
を含む、方法。
【請求項１１】
複数の散布可能な添加剤の種が、前記植物灌漑システムの前記ベース材料の中に含まれている、請求項１０に記載の方法。
【請求項１２】
添加剤が、酸性度、塩分濃度、および/または石灰濃度など、土壌性質を修正する、請求項１０または１１に記載の方法。
【請求項１３】
前記散布可能な添加剤が、芳香物質、ショウノウ、唐辛子、胡椒、および／もしくはガーリックなど香味料、肥料、菌根、抗真菌性材料、殺虫剤、菌類、象の排泄物など動物の尿もしくは排泄物、砂糖、はちみつ、および／もしくはシロップなど餌、ならびに／または、乾燥メラレウカ種、乾燥タクソディウム種、乾燥ジュニパー種など、乾燥された植物の部分、種子、共生バクテリア、卵、栄養分、胞子、および／または、ガラス粉砕物、砂粉砕物、金属粉砕物、セメント、石灰、ケイ素、および/またはゴムなど、有害動物に害を与える材料を含む、請求項１０から１２までのいずれか一項に記載の方法。
【請求項１４】
前記若い植物専用の、および/または、前記若い植物が植えられることとなる前記土壌構造専用の添加剤を含むコーティング層で、前記植物灌漑システムをコーティングするステップを含む、請求項１０から１３までのいずれか一項に記載の方法。
【請求項１５】
前記植物灌漑システムに色を提供するステップであって、第１の添加剤成分を備えた第１の植物灌漑システムが、第1の色を有し、前記第１の添加剤成分とは異なる第２の添加剤成分を備えた第２の植物灌漑システムが、前記第１の色とは異なる第２の色を有する、ステップを含む、請求項１０から１４までのいずれか一項に記載の方法。
【国際調査報告】
2014506124.tif 000010
2014506124.tif 000011
2014506124.tif 000012